【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
少なくとも１つの製品を保持するための強化パッケージであって、該パッケージは、カートンと、該カートンに貼り付けられた袋とを備え、
前記袋は、閉鎖した底部と、前記少なくとも１つの製品を保持するための内部とを有し、前記カートンは、
前記袋を収容する前記カートンの内部空間を形成する複数のパネルであって、該複数のパネルは、フロントパネルと、該フロントパネルに折り曲げ可能に接続されている第１のサイドパネルと、該第１のサイドパネルに折り曲げ可能に接続されているバックパネルと、該バックパネルに折り曲げ可能に接続されている第２のサイドパネルとを含む、複数のパネルと、
前記複数のパネルのそれぞれのパネルにそれぞれ折り曲げ可能に接続されている複数のボトム端部フラップであって、該ボトム端部フラップは、少なくとも部分的に重なり合って、前記カートンの閉鎖した底部を形成する、複数のボトム端部フラップと、
を有し、
前記ボトム端部フラップは、前記カートンを該パッケージの拡張形態に係止する係止機能部を有し、前記拡張形態では、前記閉鎖した底部が形成され、前記袋は、前記カートンの前記内部空間内に収容され、前記少なくとも１つの製品を内部に保持するように位置決めされる、強化パッケージ。
【請求項２】
前記複数のボトム端部フラップは、前記フロントパネルに折り曲げ可能に接続されている第１のボトム端部フラップと、前記第１のサイドパネルに折り曲げ可能に接続されている第２のボトム端部フラップと、前記バックパネルに折り曲げ可能に接続されている第３のボトム端部フラップと、前記第２のサイドパネルに折り曲げ可能に接続されている第４のボトム端部フラップとを含む、請求項１に記載のパッケージ。
【請求項３】
前記係止機能部は、前記第１のボトム端部フラップにおける雌係止機能部と、前記第３のボトム端部フラップにおける雄係止機能部とを含み、該雄係止機能部は、前記雌係止機能部に挿入され、前記カートンを前記拡張形態に係止する、請求項２に記載のパッケージ。
【請求項４】
前記第１のボトム端部フラップは、折り線において前記フロントパネルに折り曲げ可能に接続されており、前記雌係止機能部は、前記第１のボトム端部フラップが前記フロントパネルに対して折り曲げられると雌係止開口部を形成する、前記折り線に隣接する切れ目を含む、請求項３に記載のパッケージ。
【請求項５】
前記雄係止機能部は、前記第３のボトム端部フラップの遠位縁部における突出部を含む、請求項４に記載のパッケージ。
【請求項６】
前記係止機能部は、前記第１のボトム端部フラップにおける第１のノッチと、前記第４のボトム端部フラップにおける第２のノッチとを含み、前記第１のノッチ及び前記第２のノッチは、前記ボトム端部フラップのうちの少なくとも１つのボトム端部フラップの縁部を受けて、前記ボトム端部フラップを、前記カートンの前記閉鎖した底端部を形成する位置に係止するものである、請求項３に記載のパッケージ。
【請求項７】
前記係止機能部は、前記第１のノッチから前記第１のボトム端部フラップを横切って延在する第１の斜め折り線と、前記第２のノッチから前記第４のボトム端部フラップを横切って延在する第２の斜め折り線とを含む、請求項６に記載のパッケージ。
【請求項８】
前記袋は、第１の側部及び第２の側部を有し、前記第１の側部は、第１のガセットを有し、前記第２の側部は、第２のガセットを有する、請求項１に記載のパッケージ。
【請求項９】
前記袋は、該袋の除去可能な上側部分を画定する引裂き機能部を有し、前記上側部分は、前記袋の前記内部にアクセスするために前記袋から除去可能である、請求項８に記載のパッケージ。
【請求項１０】
前記複数のパネルは、前記カートンの頂縁部を構成し、前記袋は、前記カートンの前記頂縁部の上方に延在する、請求項１に記載のパッケージ。
【請求項１１】
前記袋は、閉鎖した底部を有し、前記袋の前記閉鎖した底部は、前記カートンの前記閉鎖した底端部によって支持される、請求項１に記載のパッケージ。
【請求項１２】
カートンに貼り付けられた袋と少なくとも１つの製品とを保持するためのカートンであって、前記袋は、閉鎖した底部と、前記少なくとも１つの製品を保持するための内部とを有し、該カートンは、
前記袋を収容する該カートンの内部空間を形成する複数のパネルであって、該複数のパネルは、フロントパネルと、該フロントパネルに折り曲げ可能に接続されている第１のサイドパネルと、該第１のサイドパネルに折り曲げ可能に接続されているバックパネルと、該バックパネルに折り曲げ可能に接続されている第２のサイドパネルとを含む、複数のパネルと、
前記複数のパネルのそれぞれのパネルにそれぞれ折り曲げ可能に接続されている複数のボトム端部フラップであって、該ボトム端部フラップは、少なくとも部分的に重なり合って、該カートンの閉鎖した底部を形成する、ボトム端部フラップと、
を有し、
前記ボトム端部フラップは、該カートンを拡張形態に係止する係止機能部を有し、前記拡張形態において、前記閉鎖した底部が形成され、前記袋は、該カートンの前記内部空間に収容され、前記少なくとも１つの製品を内部に保持するように位置決めされる、カートン。
【請求項１３】
前記複数のボトム端部フラップは、前記フロントパネルに折り曲げ可能に接続されている第１のボトム端部フラップと、前記第１のサイドパネルに折り曲げ可能に接続されている第２のボトム端部フラップと、前記バックパネルに折り曲げ可能に接続されている第３のボトム端部フラップと、前記第２のサイドパネルに折り曲げ可能に接続されている第４のボトム端部フラップとを含む、請求項１２に記載のカートン。
【請求項１４】
前記係止機能部は、前記第１のボトム端部フラップにおける雌係止機能部と、前記第３のボトム端部フラップにおける雄係止機能部とを含み、該雄係止機能部は、前記雌係止機能部に挿入され、前記カートンを前記拡張形態に係止する、請求項１３に記載のカートン。
【請求項１５】
前記第１のボトム端部フラップは、折り線において前記フロントパネルに折り曲げ可能に接続されており、前記雌係止機能部は、前記第１のボトム端部フラップが前記フロントパネルに対して折り曲げられると雌係止開口部を形成する、前記折り線に隣接する切れ目を含む、請求項１４に記載のカートン。
【請求項１６】
前記雄係止機能部は、前記第３のボトム端部フラップの遠位縁部における突出部を含む、請求項１５に記載のカートン。
【請求項１７】
前記係止機能部は、前記第１のボトム端部フラップにおける第１のノッチと、前記第４のボトム端部フラップにおける第２のノッチとを含み、前記第１のノッチ及び前記第２のノッチは、前記ボトム端部フラップのうちの少なくとも１つのボトム端部フラップの縁部を受けて、前記ボトム端部フラップを、前記カートンの前記閉鎖した底端部を形成する位置に係止するものである、請求項１４に記載のカートン。
【請求項１８】
前記係止機能部は、前記第１のノッチから前記第１のボトム端部フラップを横切って延在する第１の斜め折り線と、前記第２のノッチから前記第４のボトム端部フラップを横切って延在する第２の斜め折り線とを含む、請求項１７に記載のカートン。
【請求項１９】
少なくとも１つの製品を保持するための強化パッケージを形成するカートンブランクと該カートンブランクに貼り付けられた袋との組合せ体であって、
前記袋は、閉鎖した底部と、前記強化パッケージ内に前記少なくとも１つの製品を保持するための内部とを有し、
前記カートンブランクは、
前記袋を収容するカートンの内部空間を形成する複数のパネルであって、該複数のパネルは、フロントパネルと、該フロントパネルに折り曲げ可能に接続されている第１のサイドパネルと、該第１のサイドパネルに折り曲げ可能に接続されているバックパネルと、該バックパネルに折り曲げ可能に接続されている第２のサイドパネルとを含む、複数のパネルと、
前記複数のパネルのそれぞれのパネルにそれぞれ折り曲げ可能に接続されている複数のボトム端部フラップであって、該ボトム端部フラップは、少なくとも部分的に重なり合って、前記強化パッケージにおける前記カートンの閉鎖した底部を形成する、複数のボトム端部フラップと、
を有し、
前記ボトム端部フラップは、前記カートンを前記パッケージの拡張形態に係止する係止機能部を有し、前記拡張形態において、前記閉鎖した底部が形成され、前記袋は、前記カートンの前記内部空間に収容され、前記少なくとも１つの製品を内部に保持するように位置決めされる、組合せ体。
【請求項２０】
前記複数のボトム端部フラップは、前記フロントパネルに折り曲げ可能に接続されている第１のボトム端部フラップと、前記第１のサイドパネルに折り曲げ可能に接続されている第２のボトム端部フラップと、前記バックパネルに折り曲げ可能に接続されている第３のボトム端部フラップと、前記第２のサイドパネルに折り曲げ可能に接続されている第４のボトム端部フラップとを含み、前記係止機能部は、前記第１のボトム端部フラップにおける雌係止機能部と、前記第３のボトム端部フラップにおける雄係止機能部とを含み、該雄係止機能部は、前記雌係止機能部に挿入され、前記カートンを前記拡張形態に係止する、請求項１９に記載の組合せ体。
【請求項２１】
前記第１のボトム端部フラップは、折り線において前記フロントパネルに折り曲げ可能に接続されており、前記雌係止機能部は、前記第１のボトム端部フラップが前記フロントパネルに対して折り曲げられると雌係止開口部を形成する、前記折り線に隣接する切れ目を含む、請求項２０に記載の組合せ体。
【請求項２２】
前記雄係止機能部は、前記第３のボトム端部フラップの遠位縁部における突出部を含む、請求項２１に記載の組合せ体。
【請求項２３】
前記係止機能部は、前記第１のボトム端部フラップにおける第１のノッチと、前記第４のボトム端部フラップにおける第２のノッチとを含み、前記第１のノッチ及び前記第２のノッチは、前記ボトム端部フラップのうちの少なくとも１つのボトム端部フラップの縁部を受けて、前記ボトム端部フラップを、前記カートンの前記閉鎖した底端部を形成する位置に係止し、前記係止機能部は、前記第１のノッチから前記第１のボトム端部フラップを横切って延在する第１の斜め折り線と、前記第２のノッチから前記第４のボトム端部フラップを横切って延在する第２の斜め折り線とを含む、請求項２０に記載の組合せ体。
【請求項２４】
前記袋は、第１の側部及び第２の側部を有し、前記第１の側部は、第１のガセットを有し、前記第２の側部は、第２のガセットを有する、請求項１９に記載の組合せ体。
【請求項２５】
前記袋は、該袋の除去可能な上側部分を画定する引裂き機能部を有し、前記上側部分は、前記袋の前記内部にアクセスするために前記袋から除去可能である、請求項２４に記載の組合せ体。
【請求項２６】
少なくとも１つの製品を保持するための強化パッケージを形成する方法であって、該方法は、
フロントパネルと、該フロントパネルに折り曲げ可能に接続されている第１のサイドパネルと、該第１のサイドパネルに折り曲げ可能に接続されているバックパネルと、該バックパネルに折り曲げ可能に接続されている第２のサイドパネルとを備えた複数のパネルと、前記複数のパネルのそれぞれのパネルにそれぞれ折り曲げ可能に接続されており係止機能部を有する複数のボトム端部フラップとを含むカートンブランクを得ることと、
閉鎖した底部と、前記強化パッケージ内に前記少なくとも１つの製品を保持するための内部とを有する袋を得ることと、
前記袋を収容するカートンの内部空間を形成するように、前記カートンブランクの前記複数のパネルを位置決めすることと、
前記袋を前記カートンブランクに貼り付けることと、
前記ボトム端部フラップを少なくとも部分的に重ね合わせることによって、前記カートンの前記閉鎖した底部を形成することと、
前記カートンを前記パッケージの拡張形態に係止するように前記係止機能部を機能させることであって、前記拡張形態において、前記閉鎖した底部が形成され、前記袋は、前記カートンの前記内部空間に収容され、前記少なくとも１つの製品を内部に保持するように位置決めされることと、
を含む、方法。
【請求項２７】
前記複数のボトム端部フラップは、前記フロントパネルに折り曲げ可能に接続されている第１のボトム端部フラップと、前記第１のサイドパネルに折り曲げ可能に接続されている第２のボトム端部フラップと、前記バックパネルに折り曲げ可能に接続されている第３のボトム端部フラップと、前記第２のサイドパネルに折り曲げ可能に接続されている第４のボトム端部フラップとを含み、前記係止機能部は、前記第１のボトム端部フラップにおける雌係止機能部と、前記第３のボトム端部フラップにおける雄係止機能部とを含み、前記係止機能部を前記機能させることは、前記雄係止機能部を前記雌係止機能部に挿入して、前記カートンを前記拡張形態に係止することを含む、請求項２６に記載の方法。
【請求項２８】
前記第１のボトム端部フラップは、折り線において前記フロントパネルに折り曲げ可能に接続されており、前記雌係止機能部は、前記折り線に隣接する切れ目を含み、前記係止機能部を前記機能させることは、前記フロントパネルに対して前記第１のボトム端部フラップを折り曲げて、前記切れ目において雌係止開口部を形成することを含む、請求項２７に記載の方法。
【請求項２９】
前記雄係止機能部は、前記第３のボトム端部フラップの遠位縁部における突出部を含み、前記挿入することは、前記突出部を前記雌係止開口部に挿入することを含む、請求項２８に記載の方法。
【請求項３０】
前記係止機能部は、前記第１のボトム端部フラップにおける第１のノッチと、前記第４のボトム端部フラップにおける第２のノッチとを含み、前記係止機能部を前記機能させることは、前記ボトム端部フラップのうちの少なくとも１つのボトム端部フラップの縁部を、前記第１のノッチ及び前記第２のノッチ内に受けて、前記ボトム端部フラップを、前記カートンの前記閉鎖した底端部を形成する位置に係止することを含む、請求項２７に記載の方法。
【請求項３１】
前記係止機能部は、前記第１のノッチから前記第１のボトム端部フラップを横切って延在する第１の斜め折り線と、前記第２のノッチから前記第４のボトム端部フラップを横切って延在する第２の斜め折り線とを含む、請求項３０に記載の方法。
【請求項３２】
前記袋は、第１の側部及び第２の側部を有し、前記第１の側部は、第１のガセットを有し、前記第２の側部は、第２のガセットを有し、前記方法は、前記カートンの前記内部空間を形成するように前記パネルを互いに対して位置決めするとともに、前記第１のガセット及び前記第２のガセットを折り曲げて前記袋の前記内部を形成することによって、前記カートンブランク及び前記袋を平坦形態から前記拡張形態へと位置決めすることを含む、請求項２６に記載の方法。
【請求項３３】
前記袋は、該袋の除去可能な上側部分を画定する引裂き機能部を有し、該方法は、前記袋の前記内部にアクセスするために前記袋から前記上側部分を除去することを更に含む、請求項３２に記載の方法。
【手続補正２】
【補正対象書類名】図面
【補正対象項目名】図１
【補正方法】変更
【補正の内容】
【図１】
2018523621.tif 000001